(57)【特許請求の範囲】
【請求項１】
表示装置の表示画面に電子書籍情報が示す電子書籍を表示する電子ブック装置からの要求に応じて電子書籍情報に利用されるコンテンツを提供するコンテンツ提供サーバであって、
前記電子書籍情報に基づいて表示される電子書籍の任意の位置に重畳して表示可能なシールを示すシール情報と、該シールの配置位置を示す配置位置情報と、前記電子書籍を構成する各ページに掲載された記事の少なくとも一部の内容と掲載位置とを示す掲載情報のうち前記配置位置情報が示す配置位置に応じた掲載情報とが対応付けされたシールリストであって、前記電子書籍の内容に対するコメントを示すシールを含む複数種類のシールを示すシール情報を含むシールリストを記憶するシールリスト記憶手段と、
前記電子ブック装置からシールリストの検索条件を提示した検索要求を受け付ける検索要求受付手段と、
該検索要求受付手段によって受け付けられた検索要求において提示された検索条件に応じたシールリストを前記シールリスト記憶手段に記憶されたシールリストの中から検索するシールリスト検索手段と、
該シールリスト検索手段によって検索されたシールリストを、前記電子ブック装置に対して、当該電子ブック装置におけるユーザによるシール種類別ソート指示に応じてシールの種類別に並び替え可能に送信するシールリスト送信手段とを含み、
さらに、前記電子ブック装置にて選択されたシールリストを受け付ける被選択シールリスト受付手段と、
該被選択シールリスト受付手段によって前記選択されたシールリストが受け付けられたことに応じて、当該選択されたシールリストの被選択回数を更新する被選択回数更新手段と、
該被選択回数更新手段によって更新された被選択回数に基づいてシールリストの順位付けを行うシールリスト順位付け手段とを含む
ことを特徴とするコンテンツ提供サーバ。
【請求項２】
シールリストには、当該シールリストの特徴を示す特徴情報が対応付けされており、
前記検索要求受付手段は、特徴情報の指定を含む検索条件を提示した検索要求を受け付ける
請求項１記載のコンテンツ提供サーバ。
【請求項３】
ユーザ端末から通信ネットワークを介して送信されたシールリストを受け付けるシールリスト受付手段と、
該シールリスト受付手段によって受け付けられたシールリストを前記シールリスト記憶手段に登録するシールリスト登録手段とを含む
請求項１または請求項２記載のコンテンツ提供サーバ。
【請求項４】
表示装置の表示画面に電子書籍情報が示す電子書籍を表示する電子ブック装置からの要求に応じて電子書籍情報に利用されるコンテンツを提供するようにコンテンツ提供サーバに動作制御させるためのコンテンツ提供プログラムであって、
前記コンテンツ提供サーバに、
前記電子ブック装置からシールリストの検索条件を提示した検索要求を受け付ける検索要求受付処理と、
当該検索要求受付処理にて受け付けた検索要求において提示された検索条件に応じたシールリストを、前記電子書籍情報に基づいて表示される電子書籍の任意の位置に重畳して表示可能なシールを示すシール情報と、該シールの配置位置を示す配置位置情報と、前記電子書籍を構成する各ページに掲載された記事の少なくとも一部の内容と掲載位置とを示す掲載情報のうち前記配置位置情報が示す配置位置に応じた掲載情報とが対応付けされたシールリストであって、前記電子書籍の内容に対するコメントを示すシールを含む複数種類のシールを示すシール情報を含むシールリストを記憶するシールリスト記憶手段に記憶されたシールリストの中から検索するシールリスト検索処理と、
該シールリスト検索処理にて検索したシールリストを、前記電子ブック装置に対して、当該電子ブック装置におけるユーザによるシール種類別ソート指示に応じてシールの種類別に並び替え可能に送信するシールリスト送信処理とを実行させ、
さらに、前記電子ブック装置にて選択されたシールリストを受け付ける被選択シールリスト受付処理と、
該被選択シールリスト受付処理にて前記選択されたシールリストを受け付けたことに応じて、当該選択されたシールリストの被選択回数を更新する被選択回数更新処理と、
該被選択回数更新処理にて更新した被選択回数に基づいてシールリストの順位付けを行うシールリスト順位付け処理とを
実行させるためのコンテンツ提供プログラム。
【発明の詳細な説明】
【技術分野】
【０００１】
本発明は、表示装置の表示画面に電子書籍情報が示す電子書籍を表示する電子ブック装置からの要求に応じて電子書籍情報に利用されるコンテンツを提供する技術に関する。
【背景技術】
【０００２】
近年、出版された紙媒体の書籍を電子化して、電子機器の表示画面で閲覧可能な状態にした電子書籍が流通するようになってきている。そのため、電子書籍を閲覧するための機能を備えた電子機器（以下、「電子ブック装置」と呼ぶ。）として種々の機能を備えたものが提案されている。さらに、このような電子ブック装置に対し、インターネットなどの通信ネットワークを介して電子書籍情報を提供するサービスを行う電子書籍提供システムも実現されている。
【０００３】
このような電子書籍提供システムを構成する電子ブック装置には、ユーザに対する利便性を向上させようとするものや、操作感を現実に本を読む場合の感覚に近づけようとするものが多い。例えば、特許文献１には、電子書籍において読者（ユーザ）が所望するページの一部をしおり情報として管理し、しおりページ情報から所望ページの文字サイズを拡大したサムネイルを作成して一覧表示できるようにしたものが提案されている。
【先行技術文献】
【特許文献】
【０００４】
【特許文献１】特開２００６−３３８１４２号公報
【発明の概要】
【発明が解決しようとする課題】
【０００５】
しかしながら、このような電子ブック装置では、ページに対してしおりを付与するので、ページ内に複数の項目がある場合などに、項目まで指定したマーキングとならないという問題があった。
【０００６】
すなわち、ユーザがしおりを付与した後、後日しおりを用いてページを検索する場合、自分が何に注目していたのか自身の記憶に頼ってページ内を探す必要があった。特に、ガイドブックなど見る順番などが決まっていない書籍の場合、しおりでは検索効率が悪いという問題があった。さらに、複数のユーザが利用する電子書籍提供システムでは、ページに対して他人が付与したしおりでは、そのしおりが何のために付与されているのか分からないため、しおりを付与したユーザ以外にとってはしおりがページの閲覧の邪魔になる場合あるという問題があった。
【０００７】
本発明は、上述した問題を解決すべく、電子書籍提の利便性を向上させることができるようにすることを目的とする。
【課題を解決するための手段】
【０００８】
本発明のコンテンツ提供サーバは、表示装置の表示画面に電子書籍情報が示す電子書籍を表示する電子ブック装置からの要求に応じて電子書籍情報に利用されるコンテンツを提供するコンテンツ提供サーバであって、前記電子書籍情報に基づいて表示される電子書籍の任意の位置に重畳して表示可能なシールを示すシール情報と、該シールの配置位置を示す配置位置情報と、前記電子書籍を構成する各ページに掲載された記事の少なくとも一部の内容と掲載位置とを示す掲載情報のうち前記配置位置情報が示す配置位置に応じた掲載情報とが対応付けされたシールリストであって、前記電子書籍の内容に対するコメントを示すシールを含む複数種類のシールを示すシール情報を含むシールリストを記憶するシールリスト記憶手段と、前記電子ブック装置からシールリストの検索条件を提示した検索要求を受け付ける検索要求受付手段と、該検索要求受付手段によって受け付けられた検索要求において提示された検索条件に応じたシールリストを前記シールリスト記憶手段に記憶されたシールリストの中から検索するシールリスト検索手段と、該シールリスト検索手段によって検索されたシールリストを、前記電子ブック装置に対して、当該電子ブック装置におけるユーザによるシール種類別ソート指示に応じてシールの種類別に並び替え可能に送信するシールリスト送信手段とを含み、さらに、前記電子ブック装置にて選択されたシールリストを受け付ける被選択シールリスト受付手段と、該被選択シールリスト受付手段によって前記選択されたシールリストが受け付けられたことに応じて、当該選択されたシールリストの被選択回数を更新する被選択回数更新手段と、該被選択回数更新手段によって更新された被選択回数に基づいてシールリストの順位付けを行うシールリスト順位付け手段とを含むことを特徴とする。
【０００９】
上記の構成としたことで、電子書籍の利便性を向上させることができるようになる。
【００１１】
シールリストには、当該シールリストの特徴を示す特徴情報が対応付けされており、前記検索要求受付手段は、特徴情報の指定を含む検索条件を提示した検索要求を受け付ける構成とされていてもよい。
【００１２】
ユーザ端末から通信ネットワークを介して送信されたシールリストを受け付けるシールリスト受付手段と、該シールリスト受付手段によって受け付けられたシールリストを前記シールリスト記憶手段に登録するシールリスト登録手段とを含む構成とされていてもよい。
【００１４】
また、本発明のコンテンツ提供プログラムは、表示装置の表示画面に電子書籍情報が示す電子書籍を表示する電子ブック装置からの要求に応じて電子書籍情報に利用されるコンテンツを提供するようにコンテンツ提供サーバに動作制御させるためのコンテンツ提供プログラムであって、前記コンテンツ提供サーバに、前記電子ブック装置からシールリストの検索条件を提示した検索要求を受け付ける検索要求受付処理と、当該検索要求受付処理にて受け付けた検索要求において提示された検索条件に応じたシールリストを、前記電子書籍情報に基づいて表示される電子書籍の任意の位置に重畳して表示可能なシールを示すシール情報と、該シールの配置位置を示す配置位置情報と、前記電子書籍を構成する各ページに掲載された記事の少なくとも一部の内容と掲載位置とを示す掲載情報のうち前記配置位置情報が示す配置位置に応じた掲載情報とが対応付けされたシールリストであって、前記電子書籍の内容に対するコメントを示すシールを含む複数種類のシールを示すシール情報を含むシールリストを記憶するシールリスト記憶手段に記憶されたシールリストの中から検索するシールリスト検索処理と、該シールリスト検索処理にて検索したシールリストを、前記電子ブック装置に対して、当該電子ブック装置におけるユーザによるシール種類別ソート指示に応じてシールの種類別に並び替え可能に送信するシールリスト送信処理とを実行させ、さらに、前記電子ブック装置にて選択されたシールリストを受け付ける被選択シールリスト受付処理と、該被選択シールリスト受付処理にて前記選択されたシールリストを受け付けたことに応じて、当該選択されたシールリストの被選択回数を更新する被選択回数更新処理と、該被選択回数更新処理にて更新した被選択回数に基づいてシールリストの順位付けを行うシールリスト順位付け処理とを実行させるためのものである。
【発明の効果】
【００１５】
本発明によれば、電子書籍の利便性を向上させることができるようになる。
【図面の簡単な説明】
【００１６】
【図１】コンテンツ提供システムの構成の例を示す概略図である。
【図２】ナビゲーション端末が備える制御部と記憶部の構成を説明するための説明図である。
【図３】掲載情報の格納状態の例を示す説明図である。
【図４】シール情報の格納状態の例を示す説明図である。
【図５】シールリスト情報の格納状態の例を示す説明図である。
【図６】シールリスト表示処理の例を示すフローチャートである。
【図７】ナビゲーション端末がシールリスト選択画面を表示している状態の例を示す説明図である。
【図８】電子書籍表示処理の例を示すフローチャートである。
【図９】ナビゲーション端末がシールリスト表示画面を表示している状態の例を示す説明図である。
【図１０】ナビゲーション端末の表示画面に表示されるページとシールについて説明するための説明図である。
【図１１】シールリスト作成処理の例を示すフローチャートである。
【図１２】ナビゲーション端末がシール操作画面を表示している状態の例を示す説明図である。
【発明を実施するための形態】
【００１７】
以下、本発明の一実施の形態について図面を参照して説明する。
【００１８】
図１は、本発明の一実施の形態に係るコンテンツ提供システム３００の構成の例を示す概略図である。ここで、本例におけるコンテンツ提供システム３００は、システムに含まれるユーザ端末に対して各種コンテンツを提供するためのシステムであり、コンテンツとして電子書籍情報に利用されるものを含む。
【００１９】
図１に示すように、コンテンツ提供システム３００は、複数のナビゲーション端末１０１〜１０Ｎ（Ｎは任意の正の整数）と、管理サーバ２００と、情報提供者端末２２０と、基地局２３０とを含む。管理サーバ２００、情報提供者端末２２０、および基地局２３０は、それぞれ、例えばインターネットなどの通信ネットワーク２４０により接続されている。なお、図１では、ナビゲーション端末以外の各構成要素が１つずつの場合を示しているが、コンテンツ提供システム３００は、例えば複数の情報提供者端末２２０や管理サーバ２００を含んでいてもよい。
【００２０】
管理サーバ２００は、例えばコンテンツ提供システム３００のシステム管理者によって管理されるサーバであり、例えばＷＷＷサーバなどの情報処理装置によって構成される。本例において、管理サーバ２００は、シールリスト取得部２０１と、シールリスト検索部２０２とを含む。また、管理サーバ２００は、シールリスト情報管理ＤＢ２１１を含む各種ＤＢを含む。管理サーバ２００は、自己が備える制御部（図示せず）により各要素を統括制御する。なお、管理サーバ２００は、コンテンツ提供システム３００において、後述する複数のナビゲーション端末１０１〜１０Ｎからの要求に応じて電子書籍情報に利用されるコンテンツを提供するコンテンツ提供サーバとしての役割を果たす。
【００２１】
ここで、シールリスト取得部２０１は、電子書籍情報に基づいて表示される電子書籍の任意の位置に重畳して表示可能なシールを示すシール情報と、シールの配置位置を示す配置位置情報とが対応付けされたシールリストを取得する機能を有する。
【００２２】
シールリスト取得部２０１により取得されたシールリストは、シールリストおよびシールリストに関連する所定の情報（後述する特徴情報など。図５参照。）を含むシールリスト情報としてシールリスト情報管理ＤＢ２１１に保存される。シールリスト情報の構成については、後で詳しく説明する（図５参照）。
【００２３】
なお、シールリスト取得部２０１によるシールリストの取得経路は特に限定されず、情報提供者端末２２０によるシールリストの入力を受け付けることにより取得する構成としてもよいし、各種ユーザ端末から通信ネットワーク２４０を介して送信されたシールリストを受け付けることにより取得する構成としてもよい。以下、複数のナビゲーション端末１０１〜１０Ｎそれぞれにて作成されたシールリストを受け付ける場合を例にして説明を行う。
【００２４】
シールリスト検索部２０２は、シールリスト情報管理ＤＢ２１１にて管理されるシールリスト情報から、検索条件に応じたシールリストを検索する機能を有する。なお、本例においては、シールリスト検索部２０２が、通信ネットワーク２４０を介してナビゲーション端末１０１〜１０Ｎから検索条件を提示した検索要求を受け付ける。
【００２５】
シールリスト情報管理ＤＢ２１１は、シールリスト取得部２０１により取得されたシールリストを含むシールリスト情報を管理する。なお、本例においては、複数のナビゲーション版末１０１〜１０Ｎそれぞれにて作成されるシールリスト情報を管理する場合について説明を行うので、シールリスト情報の構成については、後で詳しく説明する（図５参照）。
【００２６】
その他、管理サーバ２００は、各種ＤＢに記憶された各種の情報を管理し、複数のナビゲーション端末１０１〜１０Ｎそれぞれからの検索要求に応じて各ＤＢに記憶された情報を検索し、適当な情報を提供する機能や、情報提供者端末２２０からの操作に応じて各ＤＢに記憶された情報を更新する機能など、各種の機能を有する。なお、複数のナビゲーション端末１０１〜１０Ｎに対して情報を提供する方法としては、通信ネットワーク２４０および基地局２３０を介した通信や、複数のナビゲーション端末１００〜１０Ｎそれぞれに装着可能なメモリカードやＵＳＢメモリなどの携帯型メモリに情報を記憶させる方法などが考えられる。
【００２７】
情報提供者端末２２０は、例えば旅行ガイドブックなどを出版する出版者により管理される端末であり、電子書籍情報や後述する掲載情報、およびシールリスト情報を含む各種情報を管理サーバ２００や複数のナビゲーション端末１０１〜１０Ｎに提供するための各種の機能を有する。
【００２８】
基地局２３０は、例えば携帯電話機などの無線端末との間で無線通信を行う機能を備える。
【００２９】
複数のナビゲーション端末１０１〜１０Ｎそれぞれは、例えばコンテンツ提供システム３００を利用するユーザによって管理される端末装置であり、例えば携帯電話端末、ＰＤＡ、モバイルタイプのパーソナルコンピュータ、ＰＮＤ（Ｐｏｒｔａｂｌｅ  Ｎａｖｉｇａｔｉｏｎ  Ｄｅｖｉｃｅ）や専用デバイスなどの情報処理装置によって構成される。複数のナビゲーション端末１０１〜１０Ｎそれぞれは、無線通信回線によって通信接続した基地局２３０を介して通信ネットワーク２４０に接続し、管理サーバ２００と情報の送受信を行う機能や、管理サーバ２００から取得した各種情報を表示画面に表示したり音声通知したりすることによりユーザに報知するための機能や、種々の情報に基づいて誘導経路を案内する機能など一般的なナビゲーション装置が備える各種の機能を有する他、電子ブック装置としての機能を備える。以下、ナビゲーション端末１０１を例にして説明を行なう。
【００３０】
図１に示すように、ナビゲーション端末１０１は、制御部１０と、記憶部２０と、メモリ３０と、表示部４０と、センサ部５０と、通信部６０と、入力部７０とを含む。
【００３１】
制御部１０は、例えばＣＰＵ（中央処理装置）により構成され、記憶部２０に記憶されたコンピュータプログラム（ナビゲーション端末１０１に動作制御させるためのコンピュータプログラム）に従い、ナビゲーション端末１０１を構成する各要素を統括制御し、経路探索機能、経路誘導機能、サービス情報（ガソリンスタンドやコンビニエンスストア、ラーメン店、ホテル・旅館といった店舗情報や、有名な施設情報、行楽地情報といったＰＯＩ（Point Of Interest）情報）を検索する情報検索機能を含む各種の処理を実行するための各種の機能を有する。なお、これらの各種の機能は、一般のナビゲーション装置が備える公知の技術によって実現される。
【００３２】
また、本例における制御部１０は、一般的な電子ブック装置としての機能（例えば、電子書籍を表示画面に表示する機能や、ページめくり機能など）を発揮するための機能を有し、ナビゲーション装置としての機能と連動することにより、より有効なナビゲーションを行うことができる。
【００３３】
また、本例における制御部１０は、例えばユーザの操作に応じて、電子書籍を構成する各ページの任意の位置に所定の画像を配置するための機能を有する。なお、本例における電子ブック装置としての機能は、ユーザが、紙媒体の書籍にシールを貼り付けたり剥がしたりする動作に近い動作により電子書籍のページに画像を配置することができるようにすることを１つの目的とする。そのため、表示画面上においては、所定の画像が実物のシールと同じように取り扱われることが好ましい。そこで、以下、ページに配置可能な所定の画像を「シール」と呼ぶ。制御部１０と記憶部２０の構成については、後で詳しく説明する。
【００３４】
メモリ３０は、制御部１０が処理する各種情報を一時的に保持する記憶媒体であり、ＲＡＭなどの半導体記憶装置により構成される。
【００３５】
表示部４０は、各種情報をユーザが認識可能な形で出力する機能を備え、例えば画像情報を表示する表示装置（ディスプレイ装置、モニタ）により構成される。表示部４０は、地図情報とユーザの現在位置情報とを表示装置の表示画面上に表示するとともに、目的地までの誘導経路を表示画面上に併せて表示することで、ユーザに対して道順を報知する。
【００３６】
センサ部５０は、ナビゲーション端末１０１の現在位置（すなわち、ユーザの現在位置）を測位する機能を備えており、例えば、ＧＰＳ衛星から送られてくるＧＰＳ信号を受信し、このＧＰＳ信号に基づいて位置を測定するＧＰＳセンサや、初期位置から移動量（距離）を計測する速度センサ、進行（移動）方位を計測するジャイロセンサ等からなる。
【００３７】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を算出する。
【００３８】
また、センサ部５０は、ＧＰＳ信号を受信するＧＰＳ受信機（アンテナ）の他、受信したＧＰＳ信号のデコード等の処理を行い、制御部１０に通知する機能を有する。
【００３９】
通信部６０は、インターネットなどの通信ネットワークに無線あるいは有線によって接続し、通信ネットワークに接続された管理サーバなどの外部の装置と情報の送受信を行うための機能を有する。
【００４０】
入力部７０は、制御部１０に対する各種指示をユーザから受け付ける機能を備える。本例では、入力部７０は、例えば、表示部４０の表示画面上に表示される操作ボタンなどによって構成される。
【００４１】
図２は、本例におけるナビゲーション端末１０１が備える制御部１０と記憶部２０の構成を説明するための説明図である。図２に示すように、制御部１０は、センサ情報処理部１１と、通信処理部１２と、シール処理部１３と、掲載情報特定部１４と、シールリスト作成部１５と、距離算出部１６と、経路探索部１７と、経路案内部１８と、ページ表示部１９とを含む。
【００４２】
センサ情報処理部１１は、センサ部５０により位置情報や速度情報などのセンサ情報の取得や記憶などを行うための処理を実行する機能を有する。
【００４３】
通信処理部１２は、通信部６０により各種情報の送受信を行うための処理を実行する機能を有する。
【００４４】
シール処理部１３は、シール配置部１３Ａと、配置位置特定部１３Ｂとを含み、後述するシールリスト作成処理においてシールを電子書籍の任意の位置に配置してシールリストを作成するための処理を実行する（図１１参照）。
【００４５】
シール配置部１３Ａは、ユーザの指示に応じて（すなわち、入力部７０を解してユーザから受け付けた操作に応じて）、表示部４０の表示画面に表示された電子書籍に対してシールを配置する処理を行う。本例においては、シール配置部１３Ａは、ユーザにより選択されたシールをユーザにより指示された位置に配置する処理を行う。なお、シールを配置可能な位置は電子書籍を構成するページ上に限定されず、例えば電子書籍の表紙などであってもよい。以下、シール配置可能箇所がページ上に限定されている場合を例に説明を行なう。
【００４６】
配置位置特定部１３Ｂは、シール配置部１３Ａによりシールが配置された位置を特定する処理を行う。本例においては、配置位置特定部１３Ｂは、配置位置を示す配置位置情報として、書籍ＩＤ、ページ数、および配置座標を特定する。なお、本例においては、シールの種類毎に予め定められた２点が位置するページ内座標を特定することにより、シールが配置された位置とシール画像の表示角度とが特定される。後述するページ内の記事の掲載位置についても同様とする。
【００４７】
掲載情報特定部１４は、配置されたシールの配置位置情報が示すページ内座標（すなわち、配置座標）を含む範囲に掲載座標が設定された掲載情報（図３参照）を特定する処理を実行する機能を有する。本例においては、掲載情報特定部１４は、後述する配置位置情報（図５参照）と掲載情報（図３参照）とを比較することにより、配置されたシールに対応する掲載情報を特定する。なお、配置されたシールに対応する掲載情報の特定方法はこれに限定されず、例えば、配置されたシールから所定の距離内に位置する１つ以上の掲載情報を、シールに対応する掲載情報として特定する構成としてもよい。
【００４８】
シールリスト作成部１５は、配置されたシールを示すシール情報と掲載情報特定部１４により特定された掲載情報とをリスト化して保存することにより、配置されたシールに関する情報を示すリスト（シールリスト）を作成（または、更新）する処理を行う。なお、本例におけるシールリスト作成部１５は、電子書籍にシールが配置される度に、記憶部２０からシールリスト情報を作成（更新）するのに必要な情報（図５参照）を検出してシールリスト情報を作成し、シールリスト情報記憶部２５に保存することによりシールリストを作成する。シールリストを作成して管理サーバ２００に送信する処理については、後で詳しく説明する（図１１参照）。また、ナビゲーション端末１０１におけるシールリストの利用方法の例についても、後で詳しく説明する（図６，７参照）。なお、本例においては、シール情報と配置位置情報とが対応付けされた情報を「シールリスト」と呼び、シールリストに他の情報が対応付けされた情報を「シールリスト情報」と呼ぶ。
【００４９】
距離算出部１６は、地図上における任意の２つの地点の距離を算出する機能を有する。
【００５０】
経路探索部１７は、出発地（例えば、現在位置）から経由地を通って目的地に到達するまでの推奨移動経路を探索する経路探索処理を行う。経路探索処理では、例えば、ユーザからの目的地情報および経由地情報の入力を受け付けて、受け付けた目的地情報および経由地情報に基づいて目的地および経由地の位置情報を特定し、この位置情報とセンサ部５０により測位された現在位置情報に基づき、地図情報を参照して現在位置から目的地までの誘導経路（推奨移動経路）を探索すると共に、この誘導経路を含む道路地図からなる移動経路周辺地図を生成する処理を行う。なお、経路探索処理については公知の技術を用いるので、ここでの詳細な説明は省略する。また、経路探索処理に必要な情報、例えば現在位置の特定や移動経路周辺地図を生成するためなどに用いられる地図情報は、予め記憶部２０に記憶されている構成としてもよいし、通信部６０により外部の管理サーバなどから取得する構成としてもよい。
【００５１】
経路案内部１８は、経路探索部１７により探索された推奨移動経路を用いた一般的な経路案内（ユーザの現在位置に応じた推奨移動経路を含む地図の表示や、音声案内など）を行うための処理を行う。
【００５２】
ページ表示部１９は、後述する電子書籍情報に基づいて表示部４０の表示画面に電子書籍を構成する各ページを表示するための処理を行う。また、ページ表示部１９は、後述するシールリスト情報に基づいて、表示部４０の表示画面に表示されるページにシールを重畳して表示する処理などを行う。
【００５３】
記憶部２０は、ＲＯＭやＲＡＭなどで構成され、ナビゲーション端末１０１が使用する各種コンピュータプログラムを記憶する記憶媒体である。また、本例において記憶部２０は、図２に示すように、電子書籍情報記憶部２１と、地図情報記憶部２２と、掲載情報記憶部２３と、シール情報記憶部２４、シールリスト情報記憶部２５とを含む。
【００５４】
電子書籍情報記憶部２１は、電子書籍を構成する各ページを表示するためのページ情報を含む電子書籍情報を記憶する記憶媒体である。本例における電子書籍情報記憶部２１には、電子書籍情報が複数記憶されており、各電子書籍情報は、ページ情報の他、各電子書籍が記憶された日時や、書籍の発行日、著作者、出版元、発行所など、電子書籍に関する種々の情報を含む。なお、電子書籍には、特定地域に関する情報などを提供する一般的な旅行ガイドブックの他、機械類の操作方法などを説明する操作マニュアルなど種々のジャンルの書籍を電子化したものが含まれるものとする。
【００５５】
なお、電子書籍情報は、より多くの種類の電子書籍装置でも読める（表示できる）情報であることが好ましい。そのため、本例においては、電子書籍情報の内容の修正はできない構成となっている。そこで、ナビゲーション端末１０１では、後述するシールリストを用いることにより、電子書籍情報の内容を変更することなく、電子書籍を構成する各ページに対し、ユーザの指示に応じたシールを重畳して表示することができるようにしている。
【００５６】
地図情報記憶部２２は、所定のグリッド（本例においては、一定の緯度幅と経度幅で区切られた矩形状の範囲）に分割して地図情報を記憶する記憶媒体である。地図情報は、地図情報記憶部２２に記憶されるほか、例えばＳＤメモリカードと呼ばれるリムーバルメディアとしての補助記憶装置や、ＣＤ−ＲＯＭやＤＶＤ−ＲＯＭ等に保存することができる。また、インターネット等の通信ネットワークを介して地図情報をダウンロードするようにしてもよい。
【００５７】
掲載情報記憶部２３は、電子書籍を構成する各ページに掲載された記事の、少なくとも一部の内容と掲載位置とを示す掲載情報を記憶する記憶媒体である。
【００５８】
図３は、掲載情報記憶部２３における掲載情報の格納状態の例を示す説明図である。図３に示すように、掲載情報は、記事を一意に特定するための記事ＩＤと、記事が掲載された電子書籍を一意に特定するための書籍ＩＤと、記事内容と、電子書籍において記事が掲載されたページを示す掲載ページ数と、掲載座標と、記事が分類されるジャンルを一意に特定するためのジャンルＩＤと、記事の内容に対応する観光対象と、各観光対象の所在地とを含む。
【００５９】
ここで、「記事内容」とは、電子書籍に掲載された記事の少なくとも一部の内容を示すものである。本例においては記事内容として、予め記事の見出しなどの項目が設定されているものとする。
【００６０】
また、「掲載座標」とは、記事が掲載されたページにおける記事の掲載位置を示すためのものである。本例においては、記事が掲載されている領域の左上隅の座標（Ａ，Ｂ）と右下隅の座標（Ｃ，Ｄ）とが設定されているものとする。なお、記事の掲載領域には、文章や画像などの他、余白部分が含まれていてもよい。このような構成とすることにより、シールを余白部分に配置しても、掲載情報特定部１４が、シールに対応する掲載情報を特定することができるようになる。
【００６１】
また、「観光対象」とは、著名な建造物や旧所名跡、景勝地などの観光対象を一意に特定するための識別情報であり、本例においては記事に関連する（例えば、記事において紹介されていたり、記事に名称が含まれていたりする）観光対象の名称が設定される。また、本例における掲載情報には、観光対象に関する情報（観光対象関連情報）として、観光対象の所在地を示す緯度経度が含まれる。なお、「観光対象」は、「観光」の対象として一般的に認識される建造物、旧所名跡、景勝地、店舗、施設、駅などの観光スポットを意味する。
【００６２】
なお、掲載情報に含まれる各要素は、書積を電子化する際に書籍が有する情報に応じて設定される構成としてもよいし、電子書籍の提供者やナビゲーション端末１０１のユーザにより設定される構成としてもよい。
【００６３】
シール情報記憶部２４は、電子書籍の任意の位置に配置可能なシールの画像や特性（例えば、コメントが追加可能であるか否か）など、シールに関する各種情報を示すシール情報を記憶する記憶媒体である。
【００６４】
図４は、シール情報記憶部２４におけるシール情報の格納状態の例を示す説明図である。図４に示すように、シール情報は、シールを一意に特定するためのシールＩＤと、シール名称と、シールの表示態様を示す画像情報とを含む。なお、本例におけるシールの種類には、ランチシールやディナーシールなどの目的を表すシール、クローバーシールやことりシールなどの単純にかわいいシール、任意のコメントを付与した（または付与可能な）コメント付シール、電子マネーが使える店であるか否かを示す電子マネーシール、ユーザがお奨めする店であることを示すお奨めシール、および特定のユーザ（例えば、「沖縄通」などある項目に分類可能なユーザ）に対してお奨めする記事であることを示す特定推奨シールなどが含まれるものとする。
【００６５】
シールリスト情報記憶部２５は、シールリスト作成部１５により作成されるシールリストを示すシールリスト情報を記憶する記憶媒体である。なお、本例においては、シールリスト情報記憶部２５は、管理サーバ２００から取得したシールリスト情報を記憶する記憶媒体としての役割も担う。
【００６６】
図５は、シールリスト情報記憶部２５におけるシールリスト情報の格納状態の例を示す説明図である。図５に示すように、シールリスト情報は、シールリストの特徴を示す特徴情報と、シールを一意に特定するためのシールＩＤと、配置位置情報と、名称と、ジャンルＩＤと、所在地（緯度経度）と、距離とを含む。
ここで、「特徴情報」とは、シールリスト名、シールリストの作成者、用途（作成意図）、およびカテゴリなど、シールリストの特徴を示す情報が設定される。特徴情報は、例えば、シールリストの作成者により設定されるものとする。なお、シールリスト情報に含まれる項目のうち予め定められた項目に設定された情報を特徴情報として取り扱う構成としてもよい。
【００６７】
また、名称（項目または紙面タイトル。本例においては配置位置情報に対応する掲載情報における「記事内容」が設定される。）、ジャンルＩＤ、および所在地などは、掲載情報特定部１４によりシールが配置された位置に応じた掲載情報が特定された場合に、掲載情報に応じた内容がシールリスト作成部１５により登録される。なお、配置位置に応じた掲載情報がない場合には、名称として、例えばシールが配置されたページを示すタイトルなどが登録されるものとする。
【００６８】
また、「配置位置情報」とは、電子書籍におけるシールの配置位置を示す情報である。本例においては、書籍ＩＤ、ページ数、および配置座標が登録される。なお、シールリスト情報は電子書籍毎に作成される構成とされていてもよい。
【００６９】
また、「距離」とは、距離算出部１６により算出される距離である。本例においては、ナビゲーション端末１０１のユーザの現在位置から各所在地までの距離が登録される。なお、距離の算出条件はこれに限定されず、予め登録された所定の位置（例えば、ユーザの自宅の所在地など）から各所在地までの距離が算出される構成としてもよい。なお、距離算出部１６は、所定のタイミング（例えば、所定時間が経過したときや、シールリストを出力するときなど）で、算出条件に応じた距離を算出する処理を開始するものとする。
【００７０】
次に、本例におけるコンテンツ提供システム３００の動作について図を参照して説明する。なお、本発明に特に係わらない処理については、その詳細な説明を省略している場合がある。
【００７１】
図６は、コンテンツ提供システム３００が実行するシールリスト表示処理の例を示すフローチャートである。シールリスト表示処理では、ナビゲーション端末１０１が管理サーバ２００からシールリスト情報を取得してシールリストを表示するための処理が実行される。
【００７２】
本例におけるシールリスト表示処理は、例えば、制御部１０が、入力部７０を介してナビゲーション端末１０１のユーザＡによるシールリストの表示要求を受け付けたことに応じて開始される。
【００７３】
シールリスト表示処理において、先ず、制御部１０は、シールリスト情報の検索条件を受け付ける（ステップＳ１０１）。ここで、シールリスト情報の検索条件としては、例えば、シールリスト情報における配置位置情報が含む書籍ＩＤが示す書籍の名称や、ジャンルＩＤが示すジャンル名称、および特徴情報など、種々の検索条件が受付可能であるものとする。また、文字列検索を行うためのキーワードの入力を受け付ける構成としてもよい。
【００７４】
検索条件を受け付けると、制御部１０は、通信処理部１２により、受け付けた建検索条件を管理サーバ２００に送信する処理を行う（ステップＳ１０２）。
【００７５】
検索条件を受け付けると（ステップＳ２０１）、管理サーバ２００は、シールリスト検索部２０２により、検索条件を満たすシールリスト情報を検索する（ステップＳ２０２）。
【００７６】
シールリスト情報を検索すると、管理サーバ２００は、検索条件を満たすシールリスト情報における特徴情報の内容を選択可能に表示するシールリスト選択画面を作成する（ステップＳ２０３）。本例においては、管理サーバ２００が、検索条件を満たすシールリスト情報における「シールリスト名」と「作成者」とを抽出するものとする。なお、管理サーバ２００が、特徴情報を抽出せず、シールリストの内容の一部を示す画像（例えば、シール情報が示すシールの画像）を選択可能に表示する画面を、シールリスト選択画面として作成する構成としてもよい。
【００７７】
シールリスト選択画面を作成すると、管理サーバ２００は、シールリスト選択画面とシールリスト情報とをナビゲーション端末１０１に送信する（ステップＳ２０４）。
【００７８】
シールリスト選択画面とシールリスト情報とを受信すると（ステップＳ１０３）、制御部１０は、表示部４０の表示画面にシールリスト選択画面を表示する（ステップＳ１０４）。
【００７９】
図７は、ナビゲーション端末１０１がシールリスト選択画面を表示している状態の例を示す説明図である。図７に示すように、ナビゲーション端末１０１の表示部４０の表示画面４１に表示されるシールリスト選択画面は、シールリストの名称を示すシールリスト名表示領域１１１とシールリストの作成者の名称を示す作成者名称表示領域１１２とを含む特徴情報表示領域と、特徴情報の表示順序を変更するためのソートボタン表示領域１２０を備える。
【００８０】
シールリスト選択画面を表示すると、制御部１１は、シールリストの選択を受け付けたか否かを判定する（ステップＳ１０５）。ここで、シールリストの選択を受け付けないと判定すると（ステップＳ１０５のＮ）、制御部１０は、ここでの処理を終了する。
【００８１】
一方、例えばユーザＡが指により表示画面４１を押下することによるシールリストの選択（本例においては、シールリストに対応するシールリスト名称またはシールリスト作成者名称の選択）を受け付けると（ステップＳ１０５のＹ）、制御部１０は、選択されたシールリストを管理サーバ２００に送信する（ステップＳ１０６）。
【００８２】
選択されたシールリストを受信すると（ステップＳ２０５）、管理サーバ２００は、シールリストの被選択回数を更新して（ステップＳ２０６）、ここでの処理を終了する。なお、シールリストの被選択回数は、シールリストの人気ランキングなどを作成するために蓄積されるものであり、シールリスト情報管理ＤＢ２１１で管理される構成としてもよいし、他のＤＢで独立して管理される構成としてもよい。
【００８３】
一方、選択されたシールリストを送信すると、制御部１０は、後述する電子書籍表示処理（図８参照）を実行する（ステップＳ１０７）。
【００８４】
電子書籍表示処理を実行すると、制御部１０は、選択されたシールリストを示すシールリスト情報をシールリスト情報記憶部２５に保存して（ステップＳ１０８）、ここでの処理を終了する。なお、このとき、制御部１０が、選択された日時など、ユーザＡにとってシールリストを識別できるような情報を対応付けて保存する構成としてもよい。シールリストの保存は、再度管理サーバ２００との通信を行うことなく、シールリストに応じてシールが重畳された状態で電子書籍を表示するための処理である。
【００８５】
次に、ナビゲーション端末１０１が実行する電子書籍表示処理について説明する。
【００８６】
図８は、ナビゲーション端末１０１が実行する電子書籍表示処理の例を示すフローチャートである。電子書籍表示処理では、シールリストを利用して電子書籍（電子書籍を構成するページ）を表示するための処理が行われる。
【００８７】
なお、本例におけるナビゲーション端末１０１は、主に２つの方法でシールリストを利用する。すなわち、第１に、ナビゲーション端末１０１は、表示部４０の表示画面４１に表示中のページに対応付けされたシールをページに重畳して表示するためにシールリストを参照するという方法で利用する。第２に、ナビゲーション端末１０１は、ユーザが目的の掲載情報（記事内容や観光対象）を容易に検索できるようにするためにシールリスト自体を表示するという方法で利用する。
【００８８】
電子書籍表示処理において、先ず、制御部１０は、シールリスト表示処理において選択されたシールリスト（図６、ステップＳ１０５）を含むシールリスト表示画面を表示する処理を行う（Ｓ３０１）。
【００８９】
図９は、ナビゲーション端末１０１がシールリスト表示画面を表示している状態の例を示す説明図である。図９に示すように、表示画面４１に表示されるシールリスト表示画面は、シール画像と、シールリスト情報としてシール画像に関連付けされて記憶された名称、ジャンルＩＤに応じたジャンル、および距離をリスト化して表示する。
【００９０】
また、シールリスト表示画面には、シールリストの各項目を並び替える操作を受け付けるためのソートボタン３１１〜３１３を備えたソートボタン表示領域３１０が設けられる。
【００９１】
本例においては、ソートボタン表示領域３１０には、シールリストにおけるシールの並びを、シールの種類別に並び替えるシール種類別ソートボタン３１１と、目的別に並び替える目的別ソートボタン３１２と、距離順（例えば、距離が短い順）に並び替える距離順ソートボタン３１３とがある。なお、ここでいう「目的」は、ジャンル毎に目的を示す文字列が対応付けされているものとする。なお、シールリストを作成する際に「目的」がシールリスト作成者により設定される構成としてもよい。
【００９２】
例えば、ユーザＡの指Ｐによりシール種類別ソートボタン３１１が押下されると、制御部１０は、シールリストをシール種類別に並べて表示する（図９参照）。また、距離順ソートボタン３１３の選択を受け付けると、制御部１０は、シールリストを距離順に並びかえて表示する。
【００９３】
シールリストを表示すると、制御部１０は、ユーザＡによるシールの選択を受け付ける（ステップＳ３０２）。ここで、シールの選択を受け付けない場合（ステップＳ３０２のＮ）、制御部１０は、ここでの処理を終了し、ページリスト表示処理におけるステップＳ１０８の処理に移行する（図６参照）。なお、シールの選択を受け付けない場合、制御部１０が、他の画面（例えば、メニュー画面など）を表示する処理に移行する構成としてもよい。
【００９４】
一方、例えばシールリスト上のシール画像表示位置がユーザＡの指Ｐにより押下されたことによりシールの選択を受け付けたものと判定すると（ステップＳ３０２のＹ）、制御部１０は、選択されたシール（押下位置に表示されていたシール）が配置されたページを特定する（ステップＳ３０３）。ここで、制御部１０は、シールリスト情報記憶部２５と掲載情報記憶部２３とを参照することにより、シールが配置されたページを特定する。
【００９５】
シールが配置されたページを特定すると、制御部１０は、シールリストの表示を終了する（ステップＳ３０４）。なお、表示を終了したシールリストは、ユーザの操作に応じて再度表示可能な構成とされることが好ましい。また、シールリストの表示を終了せず、例えば縮小表示する構成としてもよい。
【００９６】
シールリストの表示を終了すると、制御部１０は、ページ表示部１９により、電子書籍情報記憶部２１を参照して表示画面４１にシールを含む状態でページを表示する（ステップＳ３０５）。このとき、制御部１０は、シールリスト情報記憶部２５を参照し、表示するページを示す配置位置情報が記憶されている場合には、対応するシール情報が示すシールを配置位置情報が示す配置座標に表示する。なお、本例においては、制御部１０は、シールに対応する記事が所定のサイズで表示画面４１に表示されるようにページ拡大率を調整し、併せてシールの表示サイズも調整する。
【００９７】
図１０は、ナビゲーション端末１０１の表示画面４１に表示されるページとシールについて説明するための説明図である。図１０に示すように、表示画面４１には、シールＳ１〜Ｓ４が記事Ｐ１，Ｐ２に重畳して表示される。ここで、シールＳ１は「コメント付きのシール」を、シールＳ２，４は「お奨めの店を示すシール」を、シールＳ３は「カードが使える店を示すシール」であり、それぞれ識別可能に表示される。また、シールＳ１、Ｓ２，Ｓ３は記事Ｐ１を示す掲載情報に、シールＳ４は記事Ｐ２を示す掲載情報にそれぞれ対応付けされている。
【００９８】
なお、制御部１０は、表示画面４１に、電子書籍に対する種々の操作要求を受け付ける電子書籍操作ボタン表示領域４１０を表示する。電子書籍操作ボタン表示領域４１０には、ページ捲りボタン４１１，４１２や表示倍率変更ボタン４１３、見開き表示ボタン４１４といったボタンの他、配置済みのシールの一覧を示すシールリストの表示要求を受け付けるページリスト表示ボタン４１５が含まれる。
【００９９】
ページを表示すると、制御部１０は、ユーザＡの現在位置から選択されたシールに対応する所在地（図５参照）、または表示したページに対応する所在地（すなわち、表示したページが含む掲載情報に含まれる所在地、図３参照）までの推奨移動経路を探索するか否かを判定する（ステップＳ３０６）。ここで、例えばユーザＡによる所定の操作（例えば、記事やシールの表示位置の押下など）を受け付けたことにより推奨移動経路を探索すると判定すると（ステップＳ３０６のＹ）、制御部１０は、経路探索部１７により、所在地を目的地に設定し、現在位置（または、例えば入力部７０を介してユーザＡから受け付けた位置情報が示す出発地など）からの推奨移動経路を探索する（ステップＳ３０７）。
【０１００】
推奨移動経路を探索すると、制御部１０は、経路案内部１８により推奨移動経路に基づく経路案内を開始し（ステップＳ３０８）、ここでの処理を終了する。
【０１０１】
一方、推奨移動経路の探索を行わないと判定した場合（ステップＳ３０６のＮ）、制御部１０は、ここでの処理を終了し、ページリスト表示処理におけるステップＳ１０８の処理に移行する（図６参照）。
【０１０２】
次に、コンテンツ提供システム３００が実行するシールリスト作成処理について説明する。
【０１０３】
図１１は、コンテンツ提供システム３００が実行するシールリスト作成処理の例を示すフローチャートである。シールリスト作成処理では、ナビゲーション端末１０１がシールリスト情報を作成（または更新）して管理サーバ２００に送信することで、複数のナビゲーション端末１０１〜１０Ｎ間でシールリストを共有できるようにするための処理が実行される。
【０１０４】
本例におけるシールリスト作成処理は、例えば、表示部４０の表示画面４１に電子書籍を示す画面が表示されているときに、ナビゲーション端末１０１の制御部１０が、入力部７０を介してユーザＡによるシール操作画面（図１２参照）の表示要求を受け付けたときに開始される。
【０１０５】
シールリスト作成処理において、先ず、制御部１０は、表示部４０の表示画面４１にシール操作画面を表示する（ステップＳ４０１）。
【０１０６】
図１２は、ナビゲーション端末１０１がシール操作画面を表示している状態の例を示す説明図である。図１２に示すように、電子書籍の一部（ページの一部）を表示している表示画面４１は、複数種類のシール５１１〜５１５を含む配置可能シール表示領域５１０を備える。なお、このとき表示画面４１に表示されている電子書籍の一部は、電子書籍情報とシールリスト（シール情報と配置位置情報）とに基づいて表示される。すなわち、既にページにシールが配置されている場合には、ページに重畳してシールが表示されることとなる。
【０１０７】
シール操作画面を表示すると、制御部１０は、ユーザＡによるシールの選択を受け付ける（ステップＳ４０２）。ここで、シールの選択を受け付けない場合（ステップＳ４０２のＮ）、制御部１０は、後述するステップＳ４０８の処理に移行する。
【０１０８】
一方、例えばユーザＡが指Ｐにより表示画面４１を押下することによるシールの選択を受け付けると（ステップＳ４０２のＹ）、制御部１０は、表示画面４１上から配置可能シール表示領域５１０を消去し、選択されたシールの画像を押下位置に表示する（ステップＳ４０３）。本例においては、制御部１０は、表示画面４１の被押下位置（すなわち、指Ｐにより押し下げられている位置）に、選択されたシールの画像を表示する。
【０１０９】
選択されたシールの画像を表示すると、制御部１０は、シールの配置位置を特定できた否かを判定する（ステップＳ４０４）。本例においては、制御部１０は、表示画面４１の被押下位置が所定の時間だけ変更されていないと判定したときに、被押下位置に対して予め定められた位置に決定確認画像を表示する。そして、決定確認画像が表示された状態で表示画面４１の押下状態が終了した場合に、制御部１０は、配置位置特定部１３Ｂにより、最後の被押下位置に応じたシール画像の表示位置を配置位置として特定する。ここで、例えば決定確認画像が表示されていない状態で表示画面４１の押下状態が終了した場合、制御部１０は、配置位置が特定できなかったものと判定し（ステップＳ４０４のＮ）、ステップＳ１０１の処理に移行する。なお、本例においては決定確認画像の表示条件として、配置位置特定部１３Ｂにより被押下位置に応じた配置位置情報が作成されたことが含まれるものとする。
【０１１０】
一方、配置位置を特定できたと判定すると（ステップＳ４０４のＹ）、制御部１０は、掲載情報特定部１４により、配置位置に応じた掲載情報を特定する（ステップＳ４０５）。
【０１１１】
掲載情報を特定すると、制御部１０は、シールリスト作成部１５により、配置位置情報、掲載情報、および選択されたシールを示すシール情報とを対応付けてシールリスト情報としてシールリスト情報記憶部２５に保存する（ステップＳ４０６）。
【０１１２】
シールリスト情報を保存すると、制御部１０は、ページ表示部１９により、シールリスト情報記憶部２５を参照して、表示画面４１に表示中のページに応じたシールをページに重畳して表示する（ステップＳ４０７）。
【０１１３】
シールを表示すると、制御部１０は、ステップＳ４０１の処理に移行する。
【０１１４】
一方、ステップＳ４０２の処理において、シールの選択を受け付けないと判定した場合（ステップＳ４０２のＮ）、制御部１０は、シールの配置操作を終了するか否かを判定する（ステップＳ４０８）。ここで、所定の操作を受け付けない場合、制御部１０は、シールの配置操作を終了しないものと判定し（ステップＳ４０８のＮ）、ステップＳ４０２の処理に移行する。
【０１１５】
一方、所定の操作として例えば表示画面４１上のシール表示領域５１０以外の部分の押下を受け付けると、制御部１０は、シールの配置操作を終了するものと判定し（ステップＳ４０８のＹ）、シールリスト情報を管理サーバ２００に送信して（ステップＳ４０９）、ここでの処理を終了する。
【０１１６】
シールリスト情報を受け付けると（ステップＳ５０１）、管理サーバ２００は、シールリスト情報管理ＤＢ２１１に記憶されたシールリスト情報を更新する（すなわち、受け付けたシールリスト情報をシールリスト情報管理ＤＢ２１１に登録する）（ステップＳ５０２）。
【０１１７】
以上に説明したように、上述した実施の形態では、表示装置の表示画面に電子書籍情報が示す電子書籍を表示する電子ブック装置（例えば、電子ブック装置としての機能を備えたナビゲーション端末１０１）からの要求に応じて電子書籍情報に利用されるコンテンツを提供するコンテンツ提供サーバ（例えば、管理サーバ２００）が、電子書籍情報に基づいて表示される電子書籍の任意の位置に重畳して表示可能なシールを示すシール情報とシールの配置位置を示す配置位置情報とが対応付けされたシールリストを記憶するシールリスト記憶部（例えば、シールリストを含むシールリスト情報を記憶するシールリスト情報管理ＤＢ２１１）と、電子ブック装置からのシールリスト取得要求（例えば、検索条件を提示した検索要求）に応じて、シールリスト記憶部に記憶されたシールリストをコンテンツとして送信する構成としているので、電子書籍の利便性を向上させることができるようになる。
【０１１８】
すなわち、電子書籍の掲載された記事の内容を変更することなく、ユーザが電子書籍から得られる情報に変化を与えることができるようになるので、電子書籍の利便性を向上させることができるようになる。
【０１１９】
また、一般的な「しおり」という概念を離れ、電子書籍の任意の位置に重畳して表示可能な「シール」を利用する構成としているので、シールが表示される位置などから、そのシールがどんな目的で表示されているのかを直感的に理解しやすくなる。また、コンテンツ提供管理サーバにてシールリストを管理することで、例えば１つの電子書籍に対して複数種類のシールリストが作成される可能性も生まれるため、ユーザが自己の目的や嗜好に近いシールリストを選択することにより電子書籍の利便性を高めることができるようになる。
【０１２０】
また、上述した実施の形態では、コンテンツ提供サーバ（例えば、管理サーバ２００）が、電子ブック装置（例えば、電子ブック装置としての機能を備えたナビゲーション端末１０１）からシールリストの検索条件を提示した検索要求を受け付け、受け付けた検索要求において提示された検索条件に応じてシールリストを検索し、検索したシールリストを前記電子ブック装置に送信する構成としているので、検索条件に合致するシールリストを提供できる。
【０１２１】
また、上述した実施の形態では、シールリストには、シールリストの特徴を示す特徴情報（例えば、シールリストの作成者の名称や、シールリストの作成意図など）が対応付けされており、特徴情報の指定を含む検索条件を提示した検索要求を受け付ける構成としているので、特徴情報（作成者、用途、カテゴリなどの特徴を示す情報）によって検索されたシールリストを提供することができる。また、特徴情報としてシールリストの作成（または更新）日時を含ませる構成とすることで、電子書籍に関する最新情報を示すシールリストを検索するといったことができるようになる。
【０１２２】
また、上述した実施の形態では、コンテンツ提供サーバ（例えば、管理サーバ２００）が、ユーザ端末（例えば、ナビゲーション端末１０１）から通信ネットワーク２４０を介して送信されたシールリスト（例えば、シールリストを含むシールリスト情報）を受け付け、受け付けたシールリストをシールリスト記憶部（例えば、シールリスト情報管理ＤＢ２１１）に登録する構成としているので、端末からのシールリストを受け付けて他の端末に提供可能に蓄積することができる。
【０１２３】
また、上述した実施の形態では、シールリストは、電子書籍の内容に対するコメントを示すシール（例えば、コメント付きのシールＳ１）など複数種類のシールを示すシール情報を含む構成としているので、ユーザは、ページ内に掲載された記事に対する自己の注目度などを、バリエーションを持って表現することができるようになる。すなわち、例えばユーザによる掲載情報のカテゴリ分けが簡単にできるようになる。
【０１２４】
なお、上述した実施の形態では、シール種類別、目的別、距離によるシールリストのソートについて言及したが、ソート方法はこれに限定されず、ユーザにとって探したいシールが簡単に見つけられるよう、種々の方法でシールリストをソートできる構成とすることが好ましい。
【０１２５】
なお、上述した実施の形態では特に言及していないが、地図情報からＰＯＩに対応するシールリスト、すなわち、ＰＯＩに関する記事が掲載されている電子書籍に関係するシールリストを検索可能な構成としてもよい。このような構成とすることにより、電子書籍の利用方法によりバリエーションを持たせることができるようになる。
【０１２６】
なお、上述した実施の形態では、電子書籍情報、掲載情報、およびシール情報がナビゲーション端末１０１の記憶部２０に格納されている場合について説明を行なったが、これらは管理サーバ２００など外部の記憶装置に格納されていてもよい。この場合、電子ブック装置としてのナビゲーション端末１０１は、通信部６０により外部の記憶装置にアクセスし、各種情報をダウンロードすることにより表示装置の表示画面に電子書籍を表示したり、シールリストを作成したりする構成とすればよい。
【産業上の利用可能性】
【０１２７】
本発明は、電子書籍を表示するデバイスを扱う業種において産業上有用であり、電子地図の表示が可能なカーナビゲーション装置等の電化製品市場においても有用である。
【符号の説明】
【０１２８】
１０    制御部
１１    センサ情報処理部
１２    通信処理部
１３    シール処理部
１３Ａ  シール配置部
１３Ｂ  配置位置特定部
１４    掲載情報特定部
１５    シールリスト作成部
１６    距離算出部
１７    経路探索部
１８    経路案内部
１９    ページ表示部
２０    記憶部
２１    電子書籍情報記憶部
２２    地図情報記憶部
２３    掲載情報記憶部
２４    シール情報記憶部
２５    シールリスト情報記憶部
３０    メモリ
４０    表示部
５０    センサ部
６０    通信部
７０    入力部
１０１〜１０Ｎ  ナビゲーション端末
２００  管理サーバ
２０１  シールリスト取得部
２０２  シールリスト検索部
２１１  シールリスト情報管理ＤＢ
２２０  情報提供者端末
２３０  基地局
２４０  通信ネットワーク
【図１】
0005241787.tif 000002
【図２】
0005241787.tif 000003
【図３】
0005241787.tif 000004
【図４】
0005241787.tif 000005
【図５】
0005241787.tif 000006
【図６】
0005241787.tif 000007
【図７】
0005241787.tif 000008
【図８】
0005241787.tif 000009
【図９】
0005241787.tif 000010
【図１１】
0005241787.tif 000011
【図１０】
0005241787.tif 000012
【図１２】
0005241787.tif 000013